(57)【特許請求の範囲】
【請求項１】
腰掛ける部分である便座と、  前記便座の一側に結合されたビデタンク内に内蔵設置され、内蔵部品が内部に内蔵される蒸熟室ハウジングと、  前記蒸熟室ハウジングに連結され、薬剤蒸気を噴射する座薫用ノズルと、  前記蒸熟室ハウジング内に備えられて前記座薫用ノズルに連結され、座薫浴のために座薫用薬剤を蒸熟させた薬剤蒸気と薬剤抽出液体が前記座薫用ノズルから噴射されるようにする蒸気発生器とを含み、  前記蒸気発生器と、前記蒸熟室ハウジング内に配置される蒸熟室薬剤容器とを一体に設置し、座薫用薬剤を蒸熟させた薬剤蒸気と薬剤抽出液体を座便器の内部に噴出させ、 前記蒸気発生器と前記蒸熟室薬剤容器に蒸気供給ラインが連結され、該蒸気供給ラインは、端部が前記座薫用薬剤を通過して前記座薫用薬剤の上部に配置される直線区間部と、  前記直線区間部に連通し、前記直線区間部の上端部で折り曲げられる折曲区間部とを含むことを特徴とするビデ装置。
【請求項２】
前記座薫用薬剤は、交換できるように不織布タイプが適用されることを特徴とする請求項１に記載のビデ装置。
【請求項３】
薬剤を交換したり、前記蒸熟室ハウジング又は前記蒸熟室薬剤容器の開口を開閉するための覆蓋は、ビデタンクの一側に備えられることを特徴とする請求項１に記載のビデ装置。
【請求項４】
前記覆蓋は、
前記蒸熟室ハウジング又は前記蒸熟室薬剤容器の開口を遮蔽する遮蔽板部と、
前記遮蔽板部の端部から延びて前記蒸熟室ハウジング又は前記蒸熟室薬剤容器間の空間に嵌入されるスカート部とを含むことを特徴とする請求項３に記載のビデ装置。
【請求項５】
座薫浴のための入力信号を入力する入力部と、
前記入力部の入力信号に基づいて前記蒸気発生器の動作をコントロールするコントローラとをさらに含むことを特徴とする請求項１に記載のビデ装置。
【請求項６】
前記蒸熟室薬剤容器の内側には、座薫用薬剤が純正品であるか否かを検知する純正品検知センサが備えられ、座薫用薬剤が純正品であることを示す商標、Ｑマーク、バーコード（Barcode）又はＱＲコード（Quick Response Code）を識別できるようにし、座薫用薬剤が純正品であるか否かの識別に応じて警告音を発生したり、座薫用薬剤が純正品でない場合は作動が行われないようにしたり、吐出されないようにすることにより、使用を禁止することを特徴とする請求項１に記載のビデ装置。
【請求項７】
前記座薫用ノズルは、
固定部を基準に長さを変更できるように設置され、第１、第２長さ調整部の中間部が不導体で形成され、上／下端部に磁石が備えられ、通電するか否かに応じて、使用時には磁石が離れて第１、第２、第３長さ調整部の長さが長くなるように調整され、未使用時には第１、第２、第３長さ調整部の磁石が金属板からなる付着片に付着して長さが短くなるように調整されることを特徴とする請求項１に記載のビデ装置。
【請求項８】
前記座薫用ノズルは、
蛇腹式で備えられ、長さが調整されることを特徴とする請求項１に記載のビデ装置。
【請求項９】
前記座薫用ノズルは、
一端部に使い捨ての噴出口が締結凹溝と締結突部により着脱可能に備えられることを特徴とする請求項１に記載のビデ装置。
【発明の詳細な説明】
【技術分野】
【０００１】
本発明は、ビデ装置に関し、特に、薬剤蒸気による座薫浴が行えるので健康増進に貢献でき、何よりも装置をコンパクトに実現できるので設置やメンテナンスが容易になるビデ装置に関する。
【背景技術】
【０００２】
従来、人体に有益な物質を蒸熟させ、それを座便器に移送して座薫浴を行う構造の蒸気発生器は、本願出願人により特許文献１に提案されており、図１に示す構成を有する。
【０００３】
概して、その構成は、蒸気発生器１００の一側に水タンク１０１が設置され、水タンク１０１に近接して発熱体１０３を有する水槽１０２が形成され、水槽１０２の上部に水槽１０２に連通するように網体状のヨモギ容器１０５が貯蔵されるヨモギ容器貯蔵部１０４が形成された構成となっている。
【０００４】
ヨモギ容器貯蔵部１０４の上側には、蒸気移送管１０７を介してヨモギ薫蒸気を座便器１２０に送るための蒸気排出口１０６が形成される。また、ヨモギ容器貯蔵部１０４の下部には、蒸熟する際にヨモギ水（エキス）の結露現象などにより発生する液状物質の排水のための排水誘導管１０８が設置される。
【０００５】
さらに、蒸気移送管１０７に連結される座便器１２０には、蒸気発生器１００から移送されたヨモギ蒸気を座便器１２０内に適切に供給するための蒸気噴出口１２１が設置される。
【０００６】
以下、このように結合構成された従来の蒸気発生器の動作について説明する。
【０００７】
水が水タンク１０１から水槽１０２に供給され、水槽１０２内の水が発熱体１０３により加熱されて蒸気が発生し、この蒸気が水槽１０２とヨモギ容器貯蔵部１０４間を連通する蒸気連通管１０９を介してヨモギ容器貯蔵部１０４に移動し、ヨモギ容器貯蔵部１０４内に嵌設されたヨモギ容器１０５内のヨモギを蒸熟させて発生させた蒸気からなるヨモギ蒸気がヨモギ容器貯蔵部１０４の上部一側に形成された蒸気排出口１０６及び蒸気移送管１０７を介して移送され、座便器１２０に設置された蒸気噴出口１２１から座便器１２０内に噴出されることにより座薫浴が行われる。
【０００８】
よって、男性も例外ではないが、女性の場合、身体的構造及び湿布位置を考慮すると、密閉された空間であるトイレを用いることにより、安心して落ち着いて座薫浴が行えるので、空間活用及び健康増進に大きく貢献することができる。
【０００９】
しかし、上記技術は次のようないくつかの欠点を内包している。
【００１０】
このような従来の蒸気発生器には、ヨモギで薫蒸する際に結露現象などにより発生する液状物質のヨモギ水がヨモギ容器貯蔵部１０４の下部に溜まり、蒸気連通管１０９を介して水槽１０２に流入することにより、水槽１０２に溜められた水が汚染されるので非衛生的であり、発熱体１０３などの機器が老朽化しやすいという欠点があった。
【００１１】
また、図２に示すように、蒸気発生器１００から移送されるヨモギ蒸気を座便器１２０内に誘導供給する蒸気噴出口１２１が単一体に形成されており、蒸気噴出口１２１の両側に形成された半円凹入口１２１ａ、１２１ｂをヒンジ軸受１２２ａ、１２２ｂの締結部材であるボルト１２３ａとナット１２３ｂで結着することにより着設固定されている。
【００１２】
図１の蒸気発生器１００及び図３の蒸気発生器１が内蔵された座薫器は、トイレの床に設置されるので空間が複雑になり、トイレを清掃する際に座便器が一定の場所に固定されていないため、離脱すると作動不良、故障、破損の原因となり、トイレの床と座薫器が水に濡れると通電による感電の危険があった。
【００１３】
また、図１の排水誘導管１０８のように、蒸熟室で蒸熟された薬剤抽出液体がトイレの床に流出する構造となっているので、抽出液体の異物で汚れたトイレの床を随時清掃しなければならず、煩雑であった。
【００１４】
よって、これらの欠点を補完するために、ビデタンクの内部に座薫の機能を実現したコンパクトな装置が求められており、安全性と利便性を画期的に向上させ、設置やメンテナンスが容易なビデ装置に関する技術開発が求められている。
【先行技術文献】
【特許文献】
【００１５】
【特許文献１】韓国特許出願第２００１−１３０２０号
【発明の概要】
【発明が解決しようとする課題】
【００１６】
本発明は、薬剤蒸気による座薫浴を安全かつ便利に行えるようにビデタンクの内部に座薫の機能を実現することにより健康増進に貢献でき、何よりも装置をコンパクトに実現できるので設置やメンテナンスが容易なビデ装置を提供することを目的とする。
【課題を解決するための手段】
【００１７】
上記目的を達成するためのビデ装置は、腰掛ける部分である便座と、前記便座の一側に結合されたビデタンク内に内蔵設置され、内蔵部品が内部に内蔵される蒸熟室ハウジングと、前記蒸熟室ハウジングに連結され、薬剤蒸気を噴射する座薫用ノズルと、前記蒸熟室ハウジング内に備えられて前記座薫用ノズルに連結され、座薫浴のために前記薬剤蒸気を発生させて前記座薫用ノズルから噴射されるようにする蒸気発生器とを含み、前記蒸気発生器と、前記蒸熟室ハウジング内に配置される蒸熟室薬剤容器とを一体に設置し、蒸熟された薬剤薫蒸気と薫蒸過程で抽出された液体を共に座便器の内部に噴出させることができる。
【００１８】
前記座薫用薬剤は、交換できるように不織布タイプが適用されてもよい。
【００１９】
前記蒸気供給ラインは、前記蒸気発生器と前記蒸熟室薬剤容器に連結され、端部が前記座薫用薬剤を通過して前記座薫用薬剤の上部に配置される直線区間部と、前記直線区間部に連通し、前記直線区間部の上端部で折り曲げられる折曲区間部とを含んでもよい。
【００２０】
また、薬剤を交換したり、前記蒸熟室ハウジング又は前記蒸熟室薬剤容器の開口を開閉するための覆蓋は、ビデタンクの一側に備えられてもよい。
【００２１】
前記覆蓋は、前記蒸熟室ハウジング又は前記蒸熟室薬剤容器の開口を遮蔽する遮蔽板部と、前記遮蔽板部の端部から延びて前記蒸熟室ハウジング又は前記蒸熟室薬剤容器間の空間に嵌入されるスカート部とを含んでもよい。
【００２２】
また、座薫浴のための入力信号を入力する入力部と、前記入力部の入力信号に基づいて前記蒸気発生器の動作をコントロールするコントローラとをさらに含んでもよい。
【００２３】
前記蒸熟室薬剤容器の内側には、座薫用薬剤が純正品であるか否かを検知する純正品検知センサが備えられ、座薫用薬剤が純正品であることを示す商標、Ｑマーク、バーコード（Barcode）又はＱＲコード（Quick Response Code）を識別できるようにし、座薫用薬剤が純正品であるか否かの識別に応じて警告音などを発生したり、座薫用薬剤が純正品でない場合は作動が行われないようにしたり、吐出されないようにすることにより、使用を禁止するようにしてもよい。
【００２４】
前記座薫用ノズルは、固定部を基準に長さを変更できるように設置され、第１、第２長さ調整部の中間部が不導体で形成され、上／下端部に磁石が備えられ、通電するか否かに応じて、使用時には磁石が離れて第１、第２長さ調整部の長さが長くなるように調整され、未使用時には第１、第２長さ調整部の磁石が金属板からなる付着片に付着して長さが短くなるように調整されるようにしてもよい。
【００２５】
前記座薫用ノズルは、蛇腹式で備えられ、長さが調整されるようにしてもよい。
【００２６】
前記座薫用ノズルは、一端部に使い捨ての噴出口が締結凹溝と締結突部により着脱可能に備えられてもよい。
【発明の効果】
【００２７】
本発明によれば、人体に有益な優れた漢方薬材蒸気による座薫浴が行えるので健康増進に貢献することができ、何よりも装置をコンパクトに実現できるので安全性及び利便性を向上させることができ、メンテナンスが容易になるという効果がある。
【図面の簡単な説明】
【００２８】
【図１】従来技術の一実施形態による蒸気発生器と座便器を示す図である。
【図２】図１の蒸気噴出口の分解斜視図である。
【図３】従来技術の他の実施形態による蒸気発生器の構造図である。
【図４】本発明の第１実施形態によるビデ装置の斜視図である。
【図５】図４の設置状態図である。
【図６】蒸気発生器の構造図である。
【図７】図６の分解図である。
【図８】図４のビデ装置の制御ブロック図である。
【図９】本発明の第２実施形態によるビデ装置の斜視図である。
【図１０】本発明の磁石を用いた長さ調整可能な座薫用ノズルを示す構造図である。
【図１１】本発明の蛇腹式の長さ調整可能な座薫用ノズルを示す構造図である。
【図１２】本発明の着脱式の座薫用ノズルを示す構造図である。
【発明を実施するための形態】
【００２９】
本発明は、腰掛ける部分である便座と、前記便座の一側に結合されたビデタンク内に内蔵設置され、内蔵部品が内部に内蔵される蒸熟室ハウジングと、前記蒸熟室ハウジングに連結され、薬剤蒸気を噴射する座薫用ノズルと、前記蒸熟室ハウジング内に備えられて前記座薫用ノズルに連結され、座薫浴のために前記薬剤蒸気を発生させて前記座薫用ノズルから噴射されるようにする蒸気発生器とを含み、前記蒸気発生器と、前記蒸熟室ハウジング内に配置される蒸熟室薬剤容器とを一体に設置し、蒸熟された薬剤薫蒸気と薫蒸過程で抽出された液体を共に座便器の内部に噴出させることができるビデ装置を提供する。
【００３０】
以下、添付図面を参照して、本発明の実施形態について本発明の属する技術分野における通常の知識を有する者が容易に実施できるように詳細に説明する。
【００３１】
しかし、本発明についての説明は構造的又は機能的説明のための実施形態にすぎないので、本発明の権利範囲が本明細書で説明される実施形態に限定されると解釈されるものではない。
【００３２】
例えば、実施形態は様々な変更が可能であり、様々な形態を有するので、本発明の権利範囲は技術的思想を実現する均等物を含むものと理解されるべきである。
【００３３】
また、本発明において提示された目的又は効果は、特定の実施形態がそれらを全て有さなければならないとか、そのような効果のみ有さなければならないという意味ではないので、本発明の権利範囲はそれらに限定されると解釈されるものではない。
【００３４】
本明細書における本実施形態は、本発明の開示が完全なものとなるようにするものであり、本発明の属する技術分野における通常の知識を有する者に発明の範囲を完全に理解させるために提供されるものである。また、本発明は、あくまで請求の範囲において定義されるものである。
【００３５】
よって、複数の実施形態において、本発明の説明が不明確になることを避けるために、周知の構成要素、周知の動作及び周知の技術は具体的に説明されていない。
【００３６】
一方、本発明における用語の意味は、辞書的な意味に限定されるものではなく、次のように理解されるべきである。
【００３７】
ある構成要素が他の構成要素に「連結されて」いると言及された場合は、他の構成要素に直接連結されることもあるが、中間にさらに他の構成要素が存在するものと理解されるべきである。それに対して、ある構成要素が他の構成要素に「直接連結されて」いると言及された場合は、中間にさらに他の構成要素が存在しないものと理解されるべきである。また、構成要素間の関係について説明する他の表現、すなわち「〜間に」と「直接〜間に」や、「〜に隣接する」と「〜に直接隣接する」なども同様に理解されるべきである。
【００３８】
単数の表現は、特に断らない限り、複数の表現を含むものと理解されるべきであり、「含む」や「有する」などの用語は、実施された特徴、数、ステップ、動作、構成要素、部品又はそれらの組み合わせが存在することを示すものであり、１つ又は複数の他の特徴、数、ステップ、動作、構成要素、部品又はそれらの組み合わせなどの存在又は付加可能性を予め排除するものではないと理解されるべきである。
【００３９】
本明細書において用いられる用語は、特に断らない限り、本発明が属する分野における通常の知識を有する者に一般に理解されるものと同じ意味を有する。
【００４０】
一般に用いられる辞書に定義されている用語は、関連技術における文脈上の意味に一致するものと解釈されるべきであり、本発明において特に断らない限り、理想的又は過度に形式的な意味を有するものと解釈されるものではない。
【００４１】
以下、図面を参照して、本発明の実施形態について詳細に説明する。実施形態の説明において、同一の構成については同一の符号を付し、場合によっては同一の符号についての説明を省略する。
【００４２】
図４は本発明の第１実施形態によるビデ装置の斜視図であり、図５は図４の設置状態図であり、図６は蒸気発生器の構造図であり、図７は図６の分解図であり、図８は図４のビデ装置の制御ブロック図である。
【００４３】
これらの図面に示すように、本実施形態によるビデ装置３００には、薬剤蒸気による座薫浴が行えるので健康増進に貢献でき、何よりも装置をコンパクトに実現できるので安全性及び利便性を向上させることができ、メンテナンスが容易になるという効果がある。
【００４４】
このようなビデ装置３００は、図５に示すように、洋便器の便器本体３０６の上部に結合されたビデタンク３０９内に内蔵設置される。
【００４５】
洋便器の構造について簡単に説明すると、便器本体３０６の内部に水貯蔵空間３０７が形成され、その下部には非直線状の排出管路３０８が備えられる。よって、大小便は、水貯蔵空間３０７内の水と共に排出管路３０８を介して排出される。
【００４６】
一方、図５の洋便器に結合されて用いられる本実施形態によるビデ装置３００は、便座３０１と、カバー３０３と、座薫用ノズル３０４と、蒸気発生器３１０とを含む。
【００４７】
便座３０１は、腰掛ける部分を提供する。便座３０１は、便器本体３０６の上端部に配置される。便座３０１には、便座３０１の開口を開閉するカバー３０３が結合される。
【００４８】
座薫装置である蒸気発生器３１０と蒸熟室ハウジング３１４は、ビデタンク３０９の内蔵部品室に設置される。
【００４９】
座薫用ノズル３０４は、蒸熟室ハウジング３１４に連結されるノズルである。このような座薫用ノズル３０４は、ビデのためのビデ用ノズル３０５とは別個に備えられ、ビデ用ノズル３０５とは逆方向、すなわち下方噴射式に形成される。
【００５０】
内蔵式蒸気発生器３１０から発生した蒸気は、蒸熟室ハウジング３１４に流入して座薫用薬剤３１８を蒸熟させる。蒸熟された薬剤蒸気と蒸熟抽出液体は、座薫用ノズル３０４から便器本体３０６の内部の壁面に当たるので、低下した温度で座薫浴が行える。
【００５１】
人体の生殖及び排泄器官は主に括約筋で構成されており、座薫用ノズル３０４から供給される蒸熟された薬剤蒸気は、人体の生殖及び排泄器官の括約筋機能を活性化するので、様々な疾病を予防、治癒することにより健康増進に貢献することができる。
【００５２】
一方、内蔵式蒸気発生器３１０は、ビデタンク３０９内に備えられて蒸熟室ハウジング３１４に連結されており、座薫浴のために薬剤蒸気を発生させて薬剤抽出液体と共に座薫用ノズル３０４から噴射されるようにする役割を果たす。
【００５３】
本実施形態のように、蒸気発生器３１０がビデタンク３０９内に備えられると、安定性及び利便性を向上させることができ、設置及びメンテナンスが簡単になるという利点がある。
【００５４】
特に、座薫用薬剤３１８の交換が容易になるという利点がある。座薫用薬剤３１８の交換のために、蒸熟室ハウジング３１４は、ビデタンク３０９内に設置される。ビデタンク３０９の上端部には、座薫用薬剤を交換する際に開閉できる覆蓋３３０が備えられるので、覆蓋３３０を開けて蒸熟室ハウジング３１４の清掃及びメンテナンスを行うこともでき、蒸熟室ハウジング３１４内の不織布で包装された座薫用薬剤３１８を簡便に交換することもできる。
【００５５】
蒸気発生器３１０は、蒸気を発生させる装置である。このような蒸気発生器３１０は、ヒーター又はボイラー式の構成であり、水の加熱により蒸気を発生させることができる。蒸気発生器３１０から発生する薬剤蒸気は、蒸気発生器３１０の一側に備えられる座薫用の蒸熟室ハウジング３１４の内部に流入する。
【００５６】
蒸熟室ハウジング３１４の内部に流入した蒸気は、蒸熟室薬剤容器３１５に含まれる薬剤を蒸熟させ、薬剤蒸気噴出ライン３２２を介して座便器の内部壁面に当たって噴出される。
【００５７】
蒸気発生器３１０の具体的な構造は、本出願人により出願された発明に開示されているので、ここでは便宜上、省略する。
【００５８】
蒸熟室ハウジング３１４には、複数の通孔３１６が設けられた薬剤蒸熟用の蒸熟室薬剤容器３１５が備えられる。
【００５９】
蒸熟室薬剤容器３１５は、蒸熟室ハウジング３１４内に配置される構造物である。蒸熟室薬剤容器３１５の底と側壁の両方には、複数の通孔３１６が形成される。
【００６０】
蒸熟室ハウジング３１４又は蒸熟室薬剤容器３１５の開口を開閉するために、覆蓋３３０が備えられる。本実施形態において、覆蓋３３０は、蒸熟室ハウジング３１４又は蒸熟室薬剤容器３１５の開口を遮蔽する遮蔽板部３３１と、遮蔽板部３３１の端部から延びて蒸熟室ハウジング３１４又は蒸熟室薬剤容器３１５間の空間に嵌入されるスカート部３３２とを含む。
【００６１】
スカート部３３２が蒸熟室ハウジング３１４又は蒸熟室薬剤容器３１５間の空間に嵌入される形態で結合されるので、蒸気の拡散や損失を低減することができる。それだけでなく、蒸気が広がらないようにすることができる。ここで、蒸熟室ハウジング３１４の端部がスカート部３３２より若干上に上がった形態であるので、蒸気流出時に側面ではなく、上向きに流出するようにガイドする機能を果たす。
【００６２】
座薫用薬剤３１８は、蒸熟室薬剤容器３１５内に備えられ、蒸気発生器３１０からの蒸気により薬剤蒸気が形成されるようにする薬剤である。本実施形態において、座薫用薬剤３１８は、交換できるように不織布タイプで備えられる。座薫用薬剤３１８には、不織布タイプのヨモギ薬剤などが全て含まれる。
【００６３】
また、蒸熟室薬剤容器３１５の内側には、座薫用薬剤が純正品であるか否かを判断する純正品検知センサ（図示せず）が備えられるので、蒸熟室薬剤容器３１５内に備えられる座薫用薬剤が純正品であるか否かを判断することができる。
【００６４】
そのために、純正品検知センサは、座薫用薬剤が純正品であることを示す商標、Ｑマーク、バーコード（Barcode）又はＱＲコード（Quick Response Code）を識別できるようにし、座薫用薬剤が純正品であるか否かの識別に応じて警告音などを発生したり、座薫用薬剤が純正品でない場合は作動が行われないようにしたり、吐出されないようにすることにより、使用を禁止することができる。
【００６５】
蒸気供給ライン３２１は、蒸気発生器３１０と蒸熟室薬剤容器３１５に連結され、蒸気発生器３１０から発生する蒸気を蒸熟室薬剤容器３１５内の座薫用薬剤３１８に供給するラインである。
【００６６】
このような蒸気供給ライン３２１は、蒸気発生器３１０と蒸熟室薬剤容器３１５に連結され、端部が座薫用薬剤３１８を通過して座薫用薬剤３１８の上部に配置される直線区間部３２１ａと、直線区間部３２１ａに連通し、直線区間部３２１ａの上端部で折り曲げられる折曲区間部３２１ｂとを含む。本実施形態のように、蒸気供給ライン３２１に折曲区間部３２１ｂが形成されることにより、薬剤蒸気の発生効率が向上する。また、カスによりラインが閉塞する現象を予防することができる。特に、蒸気供給ライン３２１がエルボー状に製作されることにより、上から薬剤エキスを含む結露した水滴が蒸気発生器３１０の内部に流入することを防止することができる。
【００６７】
薬剤蒸気噴出ライン３２２は、一端部が蒸熟室ハウジング３１４と蒸熟室薬剤容器３１５間に配置され、他端部が座薫用ノズル３０４に連結され、薬剤蒸気を座薫用ノズル３０４から噴出する役割を果たす。
【００６８】
一方、本実施形態によるビデ装置３００には、入力部３４０と、コントローラ３５０とがさらに備えられる。
【００６９】
入力部３４０は、座薫浴のための入力信号を入力する一種のボタンである。また、コントローラ３５０は、入力部３４０の入力信号に基づいて蒸気発生器３１０の動作をコントロールする。すなわち、蒸気発生器３１０の作用により薬剤蒸気、例えばヨモギ蒸気が座薫用ノズル３０４から噴射されるようにする。
【００７０】
このようなコントローラ３５０は、中央処理装置（CPU）３５１と、メモリ（MEMORY）３５２と、サポート回路（SUPPORT CIRCUIT）３５３とを含む。
【００７１】
中央処理装置３５１は、本実施形態において、入力部３４０の入力信号に基づいて蒸気発生器３１０の動作をコントロールするために、市販されている様々なコンピュータプロセッサの１つを用いる。
【００７２】
メモリ（MEMORY）３５２は、中央処理装置３５１に接続される。メモリ３５２は、コンピュータが読み出すことのできる記録媒体であり、ローカル又は遠隔地に設置され、例えばランダムアクセスメモリ（RAM）、ＲＯＭ、フロッピディスク、ハードディスク、任意のデジタル保存形態などの容易に用いることのできる少なくとも１つのメモリである。
【００７３】
サポート回路（SUPPORT CIRCUIT）３５３は、中央処理装置３５１と組み合わされてプロセッサの典型的な動作をサポートする。このようなサポート回路３５３には、キャッシュ、パワーサプライ、クロック回路、入／出力回路、サブシステムなどが含まれる。
【００７４】
本実施形態において、コントローラ３５０は、入力部３４０の入力信号に基づいて蒸気発生器３１０の動作をコントロールする。ここで、コントローラ３５０が入力部３４０の入力信号に基づいて蒸気発生器３１０の動作をコントロールする一連のプロセスなどは、メモリ３５２に保存される。一般に、ソフトウェアルーチンがメモリ３５２に保存される。また、ソフトウェアルーチンは、他の中央処理装置（図示せず）により保存又は実行される。
【００７５】
本発明によるプロセスはソフトウェアルーチンにより実行されると説明したが、本発明のプロセスの少なくとも一部はハードウェアにより実行されてもよい。このように、本発明のプロセスは、コンピュータシステム上で実行されるソフトウェアとして実現されてもよく、集積回路などのハードウェアとして実現されてもよく、ソフトウェアとハードウェアの組み合わせにより実現されてもよい。
【００７６】
上記構成によれば、入力部３４０を作動させると、蒸気発生器３１０が動作して蒸気供給ライン３２１を介して蒸気が供給され、供給された蒸気が座薫用薬剤３１８を通過して薬剤蒸気に変化し、薬剤蒸気噴出ライン３２２を介して座薫用ノズル３０４に噴射され、その作用により健康的な座薫浴を行うことができる。
【００７７】
上記構造及び作用を有する本実施形態によれば、薬剤蒸気による座薫浴が行えるので健康増進に貢献でき、何よりも装置をコンパクトに実現できるので安定性及び利便性を向上させることができ、設置やメンテナンスが容易になるという利点がある。
【００７８】
図９は本発明の第２実施形態によるビデ装置の斜視図である。
【００７９】
同図に示すように、本実施形態によるビデ装置４００も、ビデタンク３０９内に内蔵式蒸気発生器３１０（図５参照）が内蔵される構造を有する。
【００８０】
上記構造において、蒸気発生器３１０の蒸熟室ハウジング３１４に、覆蓋３３０が外側に露出して備えられる。こうすることにより、覆蓋３３０を開けて座薫用薬剤３１８（図６参照）を容易に交換できるという利点が得られる。
【００８１】
本実施形態においても、薬剤蒸気による座薫浴が行えるので健康増進に貢献でき、何よりも装置をコンパクトに実現できるので安定性及び利便性を向上させることができ、設置やメンテナンスが容易になる。
【００８２】
また、本発明の他の実施形態による座薫用ノズル３０４は、図１０〜図１２に示すように、様々な構造で備えられる。
【００８３】
例えば、図１０に示すように、座薫用ノズル３０４は、固定部を基準に長さを変更できるように設置されるが、具体的には、第１長さ調整部３０４ａ、第２長さ調整部３０４ｂの中間部が不導体で形成され、上／下端部に磁石３０４ｄが備えられ、第３長さ調整部３０４ｃの上端部に磁石３０４ｄが備えられ、通電するか否かに応じて、使用時には磁石が離れて第１長さ調整部３０４ａ、第２長さ調整部３０４ｂ、第３長さ調整部３０４ｃの長さが長くなるように調整され、未使用時には第１長さ調整部３０４ａ、第２長さ調整部３０４ｂ、第３長さ調整部３０４ｃの磁石３０４ｄが金属板からなる付着片３０４ｅに付着して長さが短くなるように調整される。
【００８４】
また、図１１に示すように、座薫用ノズル３０４の一部が蛇腹式で備えられ、必要に応じて長さが長く又は短くなるように調整される。
【００８５】
さらに、図１２に示すように、座薫用ノズル３０４の一側に、弾性締結が行える締結凹溝３０４ｆと締結突部３０４ｇが備えられることにより、使用上の利便性を向上させることができる。こうすることにより、座薫用ノズル３０４の一端部に使い捨ての噴出口３０４ｈが締結凹溝３０４ｆと締結突部３０４ｇにより着脱可能に構成され、必要に応じて用便時の汚染により非衛生的又は不潔な噴出口３０４ｈを交換して用いることができるので、ユーザの不快感を解消することができる。
【００８６】
以上のように、本発明が上記実施形態に限定されるものではなく、本発明の思想及び範囲内で様々に変更及び変形可能であることは、当該技術分野における通常の知識を有する者にとって自明である。よって、それらの修正例や変形例も本発明に含まれるものである。
【産業上の利用可能性】
【００８７】
本発明は、日増しに拡大しているビデ装置市場に適用すると大きな効果が得られる最も好ましい発明である。
【符号の説明】
【００８８】
３００  ビデ装置
３０１  便座
３０３  カバー
３０４  座薫用ノズル
３０４ａ  第１長さ調整部
３０４ｂ  第２長さ調整部
３０４ｄ  磁石
３０４ｅ  付着片
３０４ｆ  締結凹溝
３０４ｇ  締結突部
３０４ｈ  噴出口
３０５  ビデ用ノズル
３０９  ビデタンク
３１０  蒸気発生器
３１４  蒸熟室ハウジング
３１５  蒸熟室薬剤容器
３１６  通孔
３１８  座薫用薬剤
３２１  蒸気供給ライン
３２１ａ  直線区間部
３２１ｂ  折曲区間部
３２２  薬剤蒸気噴出ライン
３３０  覆蓋
３３１  遮蔽板部
３３２  スカート部
３４０  入力部
３５０  コントローラ
【図１】
0006806977.tif 000002
【図２】
0006806977.tif 000003
【図３】
0006806977.tif 000004
【図４】
0006806977.tif 000005
【図５】
0006806977.tif 000006
【図６】
0006806977.tif 000007
【図７】
0006806977.tif 000008
【図８】
0006806977.tif 000009
【図９】
0006806977.tif 000010
【図１０】
0006806977.tif 000011
【図１１】
0006806977.tif 000012
【図１２】
0006806977.tif 000013